(57)【要約】【課題】移動通信端末向けの無線信号処理回路の設計容易化、実装面積削減、低消費電力化を図ること。【解決手段】移動通信端末のアンテナへ接続される第１の通信方式の送信経路、第１の通信方式の受信経路、又は、第２の通信方式の送受信経路のいずれか一つへ信号経路を切り替えるスイッチと、前記スイッチの切替端子のうち第１の通信方式の送信端子に接続されるローパスフィルタと、前記スイッチの切替端子のうち第１の通信方式の受信端子に接続され第１のバンドパスフィルタと、前記第１のバンドパスフィルタに接続され、該バンドパスフィルタを通過した信号を増幅する第１の低雑音増幅器と、前記スイッチの切替端子のうち第２の通信方式の送受信端子に接続されるデュプレクサと、前記デュプレクサの出力信号を増幅する第２の低雑音増幅器と、前記第２の低雑音増幅器に接続される第２のバンドパスフィルタとから構成されることを特徴とする。【選択図】図１
2009094713.tif 000002
【特許請求の範囲】
【請求項１】
時分割複信方式による第１の通信方式と、周波数分割複信方式による第２の通信方式の両方で動作し、それぞれ１又は周波数の異なる２以上の通信帯域で動作する移動通信端末に用いられ、
前記移動通信端末のアンテナへ接続される第１の通信方式の送信経路、第１の通信方式の受信経路、又は、第２の通信方式の送受信経路のいずれか一つへ、前記アンテナへの信号経路を切り替えるスイッチと、
前記スイッチの切替端子のうち第１の通信方式の送信端子に接続され、前記アンテナへの信号より所望帯域のみを通過させるローパスフィルタと、
前記スイッチの切替端子のうち第１の通信方式の受信端子に接続され、前記アンテナからの信号より所望帯域のみを通過させる第１のバンドパスフィルタと、
前記第１のバンドパスフィルタに接続され、該バンドパスフィルタを通過した信号を増幅する第１の低雑音増幅器と、
前記スイッチの切替端子のうち第２の通信方式の送受信端子に接続され、前記アンテナから、又は該アンテナへの信号より所望帯域のみを通過させるデュプレクサと、
前記デュプレクサに接続され、該デュプレクサの出力信号を増幅する第２の低雑音増幅器と、
前記第２の低雑音増幅器に接続され、該低雑音増幅器の出力信号より所望帯域のみを通過させる第２のバンドパスフィルタと、
から構成されることを特徴とする移動通信端末向けのモジュール。
【請求項２】
前記第１のバンドパスフィルタと前記第１の低雑音増幅器との間、
又は、前記デュプレクサと前記第２の低雑音増幅器との間
の少なくともいずれか一方にインピーダンス整合回路を具備する
ことを特徴とする請求項１に記載の移動通信端末向けのモジュール。
【請求項３】
前記第２のバンドパスフィルタを具備せず、前記第２の低雑音増幅器として平衡信号を出力する低雑音増幅器を具備する
ことを特徴とする請求項１又は２に記載の移動通信端末向けのモジュール。
【請求項４】
前記第１の通信方式の送信経路、前記第１の通信方式の受信経路、又は、前記第２の通信方式の送受信経路の信号経路のうち、少なくとも一つの信号経路は２以上の通信帯域に対応した複数の経路を具備する
ことを特徴とする請求項１乃至３の何れか１項に記載の移動通信端末向けのモジュール。
【請求項５】
前記複数の経路に平衡信号を出力する前記第１の低雑音増幅器を具備するときは、該低雑音増幅器の平衡信号の信号出力が共通の平衡出力端子から出力される
ことを特徴とする請求項４に記載の移動通信端末向けのモジュール。
【請求項６】
前記複数の経路に平衡信号を出力する前記第２の低雑音増幅器を具備するときは、該平衡信号の信号出力が共通の平衡出力端子から出力される
ことを特徴とする請求項４又は５に記載の移動通信端末向けのモジュール。
【請求項７】
前記第１の通信方式の信号経路が送信経路または受信経路のみで構成される
ことを特徴とする請求項１乃至６の何れか１項に記載の移動通信端末向けのモジュール。
【請求項８】
前記第２の通信方式の信号経路が送信経路または受信経路のみで構成され、
前記デュプレクサに替えて、所望の送信帯域又は受信帯域を通過させるバンドパスフィルタを具備する
ことを特徴とする請求項１乃至８の何れか１項に記載の移動通信端末向けのモジュール。
【請求項９】
時分割複信方式による第１の通信方式と、周波数分割複信方式による第２の通信方式の両方で動作し、それぞれ１又は周波数の異なる２以上の通信帯域で動作する移動通信端末であって、
前記移動通信端末のアンテナへ接続される第１の通信方式の送信経路、第１の通信方式の受信経路、又は、第２の通信方式の送受信経路のいずれか一つへ、前記アンテナへの信号経路を切り替えるスイッチと、
前記スイッチの切替端子のうち第１の通信方式の送信端子に接続され、前記アンテナへの信号より所望帯域のみを通過させるローパスフィルタと、
前記スイッチの切替端子のうち第１の通信方式の受信端子に接続され、前記アンテナからの信号より所望帯域のみを通過させる第１のバンドパスフィルタと、
前記第１のバンドパスフィルタに接続され、該バンドパスフィルタを通過した信号を増幅し、増幅した信号を平衡信号として出力する第１の低雑音増幅器と、
前記スイッチの切替端子のうち第２の通信方式の送受信端子に接続され、前記アンテナから、又は該アンテナへの信号より所望帯域のみを通過させるデュプレクサと、
前記デュプレクサに接続され、該デュプレクサの出力信号を増幅する第２の低雑音増幅器と、
前記第２の低雑音増幅器に接続され、該低雑音増幅器の出力信号より所望帯域のみを通過させる第２のバンドパスフィルタと、
から構成される移動通信端末向けのモジュールを具備する
ことを特徴とする移動通信端末。
【請求項１０】
前記モジュールが請求項２乃至８の何れか１項に記載の移動通信端末向けのモジュールである
ことを特徴とする請求項９に記載の移動通信端末。
【請求項１１】
無線信号を処理する回路とベースバンド信号を処理する回路を単一のチップに集積した集積回路を具備する
ことを特徴とする請求項９又は１０に記載の移動通信端末。
【発明の詳細な説明】
【技術分野】
【０００１】
本発明は、送受信装置に関し、特に、移動通信端末向けの無線信号処理回路における実装設計を容易にすると共に、実装面積を削減し、もって低消費電力化に寄与するモジュール、及び、それを用いた移動通信端末に関するものである。
【背景技術】
【０００２】
従来、移動体通信サービス網として実施されている３ＧＰＰ（3rd Generation Partnership Project）規格のＷ−ＣＤＭＡ(Wideband-Code Division Multiple Access)方式では、Ｂａｎｄ−ＩからＢａｎｄ−ＶＩの６種類の通信帯域（バンド）を規定しており、各国の電波利用状況や計画に応じて適したバンドでの通信が可能である。この通信方式では周波数分割による送受複信方式が採用されており、送受信それぞれの周波数に応じたフィルタで構成されるデュプレクサにより、送受信回路の選択が行われる。
【０００３】
一方、汎欧州ディジタル移動電話方式（ＧＳＭ：Global System for Mobile Communications）も多くの国で使用されている通信方式であり、主に４つの周波数帯で運用されている。この方式では時分割による送受複信方式が採用されており、送受信それぞれのタイミングで経路を切り替えるアンテナスイッチにより、送受信の選択が行われる。
【０００４】
このような複数のバンドを切り替えるスイッチとしては、例えば、特許文献１では、時分割複信方式における複数のバンドを切り替えるスイッチを備えたモジュール及びそれを用いた送受信装置が開示されている。また、特許文献２では、１台で複数のバンドに対応する携帯端末向けに、デュプレクサ、低雑音増幅器及び段間バンドパスフィルタを複合部品としてモジュール化し、実装面積低減と設計容易化を図る技術が開示されている。  
【特許文献１】特開２００６−１４０８６３号公報
【特許文献２】特開２００６−１６６２７７号公報
【発明の開示】
【発明が解決しようとする課題】
【０００５】
しかしながら、時分割複信方式に周波数複信方式が加わるような移動通信端末のマルチモード化への対応を考えた場合、特許文献１に記載の技術では、部品点数がほぼ２倍に増加し、素子間の配線長もほぼ２倍に長くなる。このように、配線の複線化、冗長度が増すため、分波器から低雑音増幅器までの配線より混入する雑音によって受信感度劣化が起こりやすく、そのため、端末設計の難易度が高くなり、現在の早い商品サイクルに対応することが困難になるという問題点があった。
【０００６】
また、携帯電話端末は、１台で複数の通信方式に対応する機能を有することにより、国際ローミング等の場面での利便性が向上するため、近年はこのようなデュアルモード対応端末の市場での台数が増加している。特許文献２に記載の技術をデュアルモード対応端末に採用する場合、モジュールとアンテナとの間には、通信方式を選択するためのアンテナスイッチが必要となり、このスイッチがアンテナと低雑音増幅器との間に直列に挿入されることによって、損失の増加による受信感度劣化、更には送信出力増加を招くという問題点があった。また、一般に、バンドパスフィルタと低雑音増幅器との間にはインピーダンス整合回路が必要であるが、特許文献２にはインピーダンス整合回路の詳細な記載がない。
【０００７】
上記問題点に鑑み、本発明は、複数の通信方式に対応するための部品の挿入による損失を防止して受信性能を向上し、部品点数を削減して小型化、低消費電力化を図ることが可能なモジュールを提供し、さらに、そのモジュールを用いることにより、設計を簡略化して早い商品サイクルに対応することが可能な移動通信端末を提供することを課題とする。
【課題を解決するための手段】
【０００８】
上記課題を解決するために、本発明による移動通信端末向けのモジュールは、時分割複信方式による第１の通信方式と、周波数分割複信方式による第２の通信方式の両方で動作し、それぞれ１又は周波数の異なる２以上の通信帯域で動作する移動通信端末に用いられ、前記移動通信端末のアンテナへ接続される第１の通信方式の送信経路、第１の通信方式の受信経路、又は、第２の通信方式の送受信経路のいずれか一つへ、前記アンテナへの信号経路を切り替えるスイッチと、前記スイッチの切替端子のうち第１の通信方式の送信端子に接続され、前記アンテナへの信号より所望帯域のみを通過させるローパスフィルタと、前記スイッチの切替端子のうち第１の通信方式の受信端子に接続され、前記アンテナからの信号より所望帯域のみを通過させる第１のバンドパスフィルタと、前記第１のバンドパスフィルタに接続され、該バンドパスフィルタを通過した信号を増幅し、増幅した信号を平衡信号として出力する第１の低雑音増幅器と、前記スイッチの切替端子のうち第２の通信方式の送受信端子に接続され、前記アンテナから、又は該アンテナへの信号より所望帯域のみを通過させるデュプレクサと、前記デュプレクサに接続され、該デュプレクサの出力信号を増幅する第２の低雑音増幅器と、前記第２の低雑音増幅器に接続され、該低雑音増幅器の出力信号より所望帯域のみを通過させる第２のバンドパスフィルタとから構成されることにより、無線信号処理回路の設計容易化、小型化、低消費電力化を図っている。
【０００９】
さらに、そのモジュールを用いることにより、移動通信端末の設計を簡略化して早い商品サイクルに対応している。
【００１０】
また、本発明の移動通信端末向けのモジュールは、前記第１の通信方式の送信経路、前記第１の通信方式の受信経路、又は、前記第２の通信方式の送受信経路の信号経路のうち、少なくとも一つの信号経路は２以上の通信帯域に対応した複数の経路を具備し、低雑音増幅器の出力信号を平衡信号で出力し、該信号出力が共通の平衡出力端子から出力される構成にすることにより、移動通信端末の受信性能の向上、小型化、低消費電力化を図っている。
【発明の効果】
【００１１】
本発明によれば、複数の通信方式に対応するための部品の挿入による損失を防止して受信性能を向上し、部品点数を削減して小型化、低消費電力化を図ることが可能なモジュールを提供し、さらに、そのモジュールを用いることにより、設計を簡略化して早い商品サイクルに対応することが可能な移動通信端末を提供することができる。
【発明を実施するための最良の形態】
【００１２】
以下に、図面を用いて本発明を実施するための最良の形態を説明する。
【００１３】
図１は、本発明になる移動通信端末向けのモジュールの構成例を示す機能ブロック図である。図１において示す本発明になる移動通信端末向けのモジュール（以下、「本モジュール」とも記す）２００は、時分割複信方式（第１の通信方式）であるGSM規格のGSM850バンド、EGSM(Extended GSM)バンド、DCS(Digital Cellular System)バンド及びPCS(Personal Communication System)バンドの４バンドと、３ＧＰＰ規格の周波数複信方式（第２の通信方式）であるW-CDMAのBand-I、Band-II及びBand-Vの３バンドとに対応する移動通信端末に用いられるものである。
本モジュール２００は、アンテナ１０、スイッチ２０、ローパスフィルタ３１、３２、バンドパスフィルタ４１〜４４（第１のバンドパスフィルタ）、デュプレクサ５１〜５３、低雑音増幅器６１〜６４（第１の低雑音増幅器）、低雑音増幅器７１〜７３（第２の低雑音増幅器）、バンドパスフィルタ８１〜８３（第２のバンドパスフィルタ）及びインピーダンス整合回路１１１〜１１４、１２１〜１２３から構成される。
【００１４】
上記の構成において、スイッチ２０は、アンテナ１０に接続され、アンテナ１０により送受信される無線信号を時分割複信方式における各バンドの送信信号、受信信号又は周波数分割複信方式における各バンドの送受信信号を選択する。
【００１５】
ローパスフィルタ３１、３２は、上記スイッチ２０の切替端子のうち時分割複信方式の送信端子にそれぞれ接続される。ローパスフィルタ３１は、ＧＳＭ８５０バンド及びＥＧＳＭバンドの送信帯域を通過帯域とし、ローパスフィルタ３２は、ＤＣＳバンド及びＰＣＳバンドの送信帯域を通過帯域とする。
【００１６】
バンドパスフィルタ４１、４２、４３、４４は、上記スイッチ２０の切替端子のうち時分割複信方式の受信端子にそれぞれ接続され、各々ＧＳＭ８５０バンド、ＥＧＳＭバンド、ＤＣＳバンド、ＰＣＳバンドの受信帯域を通過帯域とする。
【００１７】
低雑音増幅器６１、６２、６３、６４は、受信信号の減衰を防ぐためのインピーダンス整合回路１１１、１１２、１１３、１１４を介して、上記バンドパスフィルタ４１、４２、４３、４４にそれぞれ接続され、各々ＧＳＭ８５０バンド、ＥＧＳＭバンド、ＤＣＳバンド、ＰＣＳバンドの受信信号を増幅する。
【００１８】
デュプレクサ５１、５２、５３は、上記スイッチ２０の切替端子のうち周波数分割複信方式の送受信端子にそれぞれ接続される。デュプレクサ５１、５２、５３は、各々W-CDMAにおけるBand-I、Band-II及びBand-Vに対応した各々の送信帯域バンドパスフィルタと受信帯域バンドパスフィルタを組み合わせたもので周波数による送受信号の分波を行うものである。
【００１９】
低雑音増幅器７１、７２、７３は、インピーダンス整合回路１２１、１２２、１２３を介してデュプレクサ５１、５２、５３に接続され、各々W-CDMAにおけるBand-I、Band-II及びBand-Vの受信信号を増幅するものである。バンドパスフィルタ８１、８２、８３は、それぞれ低雑音増幅器７１、７２、７３で発生する高調波を除去するものである。なお、上記低雑音増幅器６１〜６４、７１〜７３は、固定増幅率又は可変増幅率いずれのものでも良い。
【実施例１】
【００２０】
まず、時分割複信方式であるGSM規格における動作の一例として、GSM850バンド選択時における本モジュール２００の動作例を以下に説明する。
【００２１】
移動通信端末においてGSM850バンドによる通信が選択された場合、図１に示す本モジュール２００のスイッチ２０は外部コントロール信号により、送信時にはアンテナ１０とローパスフィルタ３１を接続する経路のみが、受信時にはアンテナ１０とバンドパスフィルタ４１を接続する経路のみが導通するよう制御される。送信時には、送信データを処理するベースバンドＩＣ２２０から出力された送信信号がＲＦＩＣ(Radio Frequency Integrated Circuit)２１０において、低周波数から高周波数に変換された後、パワーアンプ９１によって増幅され本モジュール２００に入力される。ＲＦＩＣ２１０には、無線信号処理回路を構成する機能ブロックが複数内蔵されている。ＲＦＩＣ２１０及びパワーアンプ９１で発生する高調波は、ローパスフィルタ３１により所望の帯域以外の信号として抑圧され、所望の帯域波はフィルタ３１及びスイッチ２０を通過してアンテナ１０へと出力される。  
受信時にはアンテナ１０にて受信した受信信号がスイッチ２０通過し、バンドバスフィルタ４１では所望の帯域以外の信号は抑圧され、所望の帯域波はバンドバスフィルタ４１を通過して低雑音増幅器６１へ入力され、増幅された後にＲＦＩＣ２２０へ入力される。次に、ＲＦＩＣ２２０において、受信信号が高周波数から低周波数に変換され、受信データを処理するベースバンドＩＣ２２０に入力される。
【００２２】
次に、周波数分割複信方式である３ＧＰＰ規格W-CDMA各バンドにおける動作の一例として、Band-I選択時における本モジュール２００の動作例を以下に説明する。
【００２３】
周波数分割複信方式のため送受信は同時に行われる。移動通信端末において、Band-Iによる通信が選択された場合、本モジュール２００のスイッチ２０は、外部コントロール信号により、送信時にはアンテナ１０とデュプレクサ５１を接続する経路のみが導通するように制御される。ベースバンドＩＣ２２０で処理された送信データは、ＲＦＩＣ２１０において高周波数の送信信号に変換され、パワーアンプ１０１によって増幅される。増幅された送信信号のうち、高調波はデュプレクサ５１を構成する送信帯域バンドパスフィルタによって抑圧され、希望波はフィルタ及びスイッチを通過してアンテナへと出力される。
【００２４】
アンテナ１０にて受信した受信信号は、スイッチ２０及びデュプレクサ５１を構成する受信帯域バンドバスフィルタを通過し、インピーダンス整合回路１２１、１２２、１２３を経て低雑音増幅器７１へ入力され、増幅された後に高調波抑圧のためバンドパスフィルタ８１を通過しＲＦＩＣ２１０へ入力され、低周波数に変換された後、受信データとしてベースバンドＩＣ２２０に入力される。
【００２５】
他のW-DCMA各バンドに対してもスイッチ２０の切り替えによりアンテナ１０がそれぞれ対応したデュプレクサに接続され、同様の動作をする。
【００２６】
本モジュール２００は、GSM規格通信方式の４バンドとW-CDMA通信方式３バンドを１つのスイッチ２０で切り替えている。特許文献２のW-CDMA複数バンド対応構成例の送受信装置向けモジュールを使用する場合、モジュールとアンテナの間にGSM規格通信方式との切替用アンテナスイッチを挿入する必要があるため、信号の損失は増加する。本モジュール２００を用いることにより、スイッチ２０を本モジュール２００内部に格納することができるため、挿入損失の増加を抑えることができ、受信性能を向上させることができる。
【００２７】
また、低雑音増幅器で増幅される前の信号経路に混入する雑音は、総合雑音指数を直接劣化させるため、移動通信端末の受信感度劣化に対する影響が大きいが、本モジュール２００の構成によればデュプレクサ５１、５２、５３及びアンテナスイッチ２０から低雑音増幅器までの距離を短縮できるため雑音の影響が少ない。更に、バンドパスフィルタ４１、４２、４３、４４と低雑音増幅器６１、６２、６３、６４との間にインピーダンス整合回路１１１、１１２、１１３、１１４を配置して低雑音増幅器入力部のインピーダンス整合を最適化した状態で製品化することにより、本モジュール２００のユーザとなる移動通信端末メーカにとってインピーダンス整合の手間が無くなり、通信端末の設計期間短縮、コスト削減に貢献する。デュプレクサ５１、５２、５３の受信信号の出力部と低雑音増幅器７１、７２、７３と間にインピーダンス整合回路１２１、１２２、１２３を配置した場合も同様に、インピーダンス整合の手間が無くなり、通信端末の設計期間短縮、コスト削減に貢献する。
【００２８】
なお、本実施例１における時分割複信方式のバンド数及び周波数分割複信方式のバンド数は本発明の範囲を限定するものではなく、複数バンド対応又は単一バンド対応のいずれでもよい。
【００２９】
図２は、ＲＦ回路とベースバンド回路を１チップに集積した移動通信端末の構成例を示す機能ブロック図である。２３０はＲＦ回路とベースバンド回路を１チップに集積した集積回路、すなわち統合ＩＣである。図２に示すように、本モジュール２００を用いることにより、図１に示すＲＦＩＣ２１０において低雑音増幅器を集積化する必要がなくなり、従来技術において低雑音化が困難であるＣＭＯＳ（Complementary Metal Oxide Semiconductor）プロセスによるＲＦＩＣの製造が可能になる。さらにＲＦＩＣの製造プロセスがＣＭＯＳであれば、従来よりＣＭＯＳプロセスで製造可能であったベースバンドＩＣと同一チップに集積化することが可能となる。これにより、移動通信端末の小型化及び低価格化に貢献することができる。なお、移動通信端末は、図２に示す本モジュール２００、統合ＩＣ２３０からなる送受信部の他に、不図示の、表示部、入力部、制御部、音声出力部及び電源部等から構成される。
【実施例２】
【００３０】
本発明になる移動通信端末向けのモジュールは、多重通信技術、即ち、ＭＩＭＯ（Multiple Input Multiple Output）技術を用いる移動通信端末にも用いられる。
【００３１】
図３は、ＭＩＭＯ通信における本発明になる移動通信端末向けのモジュールの構成例を示す機能ブロック図である。時分割複信方式と周波数分割複信方式の二つの通信方式で、送信受信ともに二つの経路を用いて信号の多重化を行うアップリンク（２ｘ２）、ダウンリンク（２ｘ２）のＭＩＭＯ通信に対応した移動通信端末の無線信号処理回路の構成例である。アンテナ１０及びアンテナ１１はＭＩＭＯ通信に用いる２本の独立したアンテナである。
【００３２】
アンテナ１０に接続される本発明になる移動通信端末向けのモジュール２０１は、時分割複信方式と周波数分割複信方式の二つの通信方式で動作し、アンテナの接続先を切り替えるスイッチ２１、時分割複信方式の送信帯域を通過させるローパスフィルタ３０、同方式の受信帯域を通過させるバンドパスフィルタ４０、インピーダンス整合回路１１０、同方式の受信信号を増幅させる低雑音増幅器６０、周波数分割複信の通信方式の送信帯域及び受信帯域をそれぞれ通過させる二つのバンドパスフィルタを組み合わせたデュプレクサ５０、インピーダンス整合回路１２０、同方式の受信信号を増幅する低雑音増幅器７０及び低雑音増幅器７０で生じる不要波を抑圧するバンドパスフィルタ８０から構成される。アンテナ１１に接続される移動通信端末向けのモジュール２０２も同様の構成である。スイッチ２１、２２には移動通信端末の制御部（不図示）により送信／受信の切り替えを行えるようにスイッチコントロール端子４００、４０１が設けられている。
【００３３】
ＭＩＭＯ通信においては複数の送受信経路間での干渉が少ないことが望ましく、アンテナ１０とアンテナ１１はなるべく距離をおいて設置されるべきであるが、アンテナ１０、１１から低雑音増幅器６０、６１、７０、７１までの信号線路が冗長になると、その経路で混入する雑音が増加し、良好な受信感度を得られなくなる。そのような場合でも、本発明になる移動通信端末向けのモジュールを用いた送受信信号処理回路においては、アンテナ間の距離を離すことによって冗長化する、ＲＦＩＣ２１１との間の端末プリント基板配線３０１、３０２、３０３、３０４、３０５、３０６、３０７、３０８が低雑音増幅器６０、６１、７０、７１の後段になり、上述した総合雑音指数への影響が少ないため、受信感度が劣化しない。
【００３４】
図４は、ＭＩＭＯ通信における本発明になる移動通信端末向けのモジュールの他の構成例を示す機能ブロック図である。時分割複信方式と周波数分割複信方式の二つの通信方式で、送信に一つの経路、受信に三つの経路を用いて信号の多重化を行い、ダウンリンクのみ３ｘ３のＭＩＭＯ通信に対応した移動通信端末の無線信号処理回路の構成例である。本構成例のように、ダウンリンクの多重度がアップリンクより大きくなるシステムにおいては、使用する本発明になる移動通信端末向けのモジュールのいくつかは本モジュール２０３及び２０４のように受信信号のみを切り替えるモジュールの構成となる。この場合には周波数複信方式の経路に配置するデュプレクサは不要となり、帯域バンドパスフィルタ５１、５２を用いた構成となり、低消費電力化が可能になる。
【００３５】
図５は、ＭＩＭＯ通信における本発明になる移動通信端末向けのモジュールの他の構成例を示す機能ブロック図である。時分割複信方式のみの単一バンド対応で、送信に一つの経路、受信に三つの経路を用いて信号の多重化を行い、ダウンリンクのみ３ｘ３のＭＩＭＯ通信に対応した移動通信端末の無線信号処理回路の構成例である。単一通信方式の単一バンドで使用する場合は、本モジュール２０５は送受信の切り替えのためのスイッチ２５を備えているが、本モジュール２０６、２０７はスイッチ２５、及びスイッチコントロール端子４００が不要となり、信号線路の複雑化を避け、回路実装面積の削減に貢献することができる。
【００３６】
図６は、ＭＩＭＯ通信における本発明になる移動通信端末の構成例を示す図である。本発明になる移動通信端末向けのモジュールを用いたＭＩＭＯ通信対応の移動通信端末の構成例である。移動通信端末５００は、制御部４００、アンテナ１０、１１、１２、本発明になる移動通信端末向けのモジュール２０１、２０２、２０７、パワーアンプ９０、９１、１００、１０１、ＲＦＩＣ２１４、ベースバンドＩＣ２２１、さらに、不図示の、表示部、入力部、音声出力部及び電源部等を備える。ている。ＭＩＭＯ通信を行う場合、図６に示すように制御部４００は複数の本モジュール２０１、２０２の動作を制御することになる。本モジュール２０７が図５に記載の単一通信方式、単一バンドの受信モジュール２０７である場合には、モジュール２０７のスイッチをコントロールする配線が不要となり、信号線路の複雑化を避け、回路実装面積の削減に貢献することができる。
【実施例３】
【００３７】
図７は、段間受信フィルタ非使用時の本発明になる移動通信端末向けのモジュールの構成例を示す機能ブロック図である。Ｗ−ＣＤＭＡ通信方式における段間受信フィルタが不要となる無線信号処理回路に用いられる場合の本モジュール２０８の構成例を示している。無線信号処理回路に用いられるＲＦＩＣによっては、図１に示すような低雑音増幅器７１、７２、７３後段の段間受信フィルタであるバンドパスフィルタ８１、８２、８３を必要としないものもある。このようなＲＦＩＣ２１５に接続する場合、本発明の移動通信端末向けのモジュール２０５は上記バンドパスフィルタ８１、８２、８３を搭載せず、平衡出力の低雑音増幅器７６、７７、７８を用いて受信信号を出力する構成とする。
【００３８】
このような構成にすることにより、本モジュール２０５とＲＦＩＣ２１５との間に非平衡／平衡変換器を設置する必要が無くなり、部品点数を削減する効果がある。また、低雑音増幅器の性能に合わせてモジュール出力までの平衡線路を設計することにより、モジュール出力信号の平衡度を上げることができ、移動通信端末の受信性能の向上に貢献することができる。
【実施例４】
【００３９】
図８は、共通ミキサ入力ＲＦＩＣ使用時の本発明になる移動通信端末向けのモジュールの構成例を示す機能ブロック図である。本モジュール２０９の低雑音増幅器６１、６２、６３、６４及びデュプレクサ８１、８２、８３の平衡出力とＲＦＩＣ２１６との接続において、同一通信方式の周波数の異なる複数のバンドの平行出力を一つにしてローカル入力とし、共通ミキサを使用するＲＦＩＣ２１６に入力するものである。このようにすることにより、同一通信方式の周波数の異なる複数のバンドにおいてひとつのミキサを使用することができ、ＲＦＩＣ２１６の受信端子を各バンド共通とすることができる。このように本モジュール２０９の出力をＲＦＩＣ２１６に接続する場合、本移動通信端末向けのモジュール２０６内部で受信信号出力端子を共通化することにより、端末のマザーボードの配線本数を削減することができ、部品実装密度の向上及び線路間の信号干渉低減に貢献することができる。
【図面の簡単な説明】
【００４０】
【図１】本発明になる移動通信端末向けのモジュールの構成例を示す機能ブロック図である。
【図２】ＲＦ回路とベースバンド回路を１チップに集積した本発明になる移動通信端末の構成例を示す機能ブロック図である。
【図３】ＭＩＭＯ通信における本発明になる移動通信端末向けのモジュールの構成例を示す機能ブロック図である。
【図４】ＭＩＭＯ通信における本発明になる移動通信端末向けのモジュールの他の構成例を示す機能ブロック図である。
【図５】ＭＩＭＯ通信における本発明になる移動通信端末向けのモジュールの他の構成例を示す機能ブロック図である。
【図６】ＭＩＭＯ通信における本発明になる移動通信端末の構成例を示す図である。
【図７】段間受信フィルタ非使用時の本発明になる移動通信端末向けのモジュールの構成例を示す機能ブロック図である。
【図８】共通ミキサ入力ＲＦＩＣ使用時の本発明になる移動通信端末向けのモジュールの構成例を示す機能ブロック図である。
【符号の説明】
【００４１】
１０…アンテナ
２０、２１、２２、２３、２４、２５…スイッチ
３０、３１、３２…ローパスフィルタ
４０、４１、４２、４３、４４…バンドパスフィルタ（第１）
５０、５１、５２、５３…デュプレクサ
６０、６１、６２、６３、６４…低雑音増幅器（第１）
７０、７１、７２、７３、７６、７７、７８…低雑音増幅器（第２）
８１、８２、８３…バンドパスフィルタ（第２）
９０、９１、９２…パワーアンプ
１００、１０１、１０２、１０３…パワーアンプ
１１０、１１１、１１２、１１３、１１４…インピーダンス整合回路
１２０、１２１、１２２、１２３…インピーダンス整合回路
２００、２０１、２０２、２０３、２０４、２０５、２０６、２０７…移動通信端末向けのモジュール
２１０、２１１、２１２，２１３、２１４、２１５、２１６…ＲＦＩＣ
２２０、２２１…ベースバンドＩＣ
２３０…ＲＦとベースバンドの統合ＩＣ
４００…制御部
５００…移動通信端末。
【図１】
2009094713.tif 000003
【図２】
2009094713.tif 000004
【図３】
2009094713.tif 000005
【図４】
2009094713.tif 000006
【図５】
2009094713.tif 000007
【図６】
2009094713.tif 000008
【図７】
2009094713.tif 000009
【図８】
2009094713.tif 000010